(57)【要約】【課題】  印刷が正常終了した場合、もしくは途中で中止、または失敗したと場合について、余白部分が発生した際に、無駄なくかつ、使いやすい用紙としてカットする。【解決手段】  もしくは中止または失敗した場合について、印刷用紙両面のインク付着量を検出する印刷用紙インク付着量検出部、および紙種を判断する印刷用紙種類検出部により印刷用紙が再利用可能か否かを判定し、前記印刷用紙再利用判定部により再利用可能と判定した場合に、印刷に使用する用紙サイズ、および印刷する画像サイズ、および画像データを検出することによって、余白サイズを検出し、定形サイズに用紙をカット可能か否かを判定する。【選択図】  図１
2006168878.tif 000002
【特許請求の範囲】
【請求項１】
印刷が正常終了、中止、または失敗した場合において、印刷用紙両面のインク付着量を検出する印刷用紙インク付着量検出部、および紙種を判断する印刷用紙種類検出部により印刷用紙が再利用可能か否かを判定し、
前記印刷用紙再利用判定部により再利用可能と判定した場合に、印刷に使用する用紙サイズ、および印刷する画像サイズ、および画像データを検出することによって、余白サイズを検出し、定形サイズに用紙をカット可能か否かを判定する余白サイズ判定部を備えた印刷装置。
【請求項２】
前記余白サイズ判定部より、定形用紙カットが可能か否かを判定し、定形用紙にカット可能と判定した場合に、定形用紙カット構成を算出する定形用紙カット構成算出部を備えた印刷装置。
【請求項３】
前記定形用紙カット構成算出部、もしくは印刷用紙再利用判定部により決められたパラメータを受け取り印刷用紙のカット制御を行う印刷用紙カット制御部を備えた印刷装置。
【請求項４】
前記印刷用紙カット制御部において定形用紙にカット可能と判定された場合に、定形用紙にカットする定形用紙カット部を備えたハードウェア。
【請求項５】
前記定形用紙カット部において、定形用紙にカットされた用紙を各定形用紙トレイに排紙することを可能とした定形用紙排紙制御部を備えたハードウェア。
【発明の詳細な説明】
【技術分野】
【０００１】
本発明は、あらゆる形の紙を印刷した際に、その紙のサイズに対する印刷画像のサイズ、および画像データを検出することによって、余白サイズを検出し、定形用紙にカット可能か否かを判定し、判定可能とした場合に、単一、もしくは複数の定形用紙にカットし、各定形用紙用トレイに搬出することにより、余白部分を無駄なく使用することを可能とする印刷用紙の制御システムである。
【背景技術】
【０００２】
一般に印刷を行うと、画像データによって余白ができる事が多くあることが知られている。それらの余白は捨てられてしまう場合が多い事もよく知られている。
【０００３】
これらの問題を解決するために、例えば、印刷が完了する前に印刷中止が指示された場合には、トレイから用紙を順に引き出し裏面が白紙か否かを白紙検知センサにより各々検知し、裏面が白紙の用紙は表裏反転させて給紙トレイに格納し、裏面も印刷済みの用紙はリサイクル用紙回収ボックスに格納するという方法がある（例えば、特許文献１参照）。
【０００４】
また、印刷データを読み取り、その読み取った情報に基づいて記録媒体が裁断処理すべきものか、そうでないかを判定する方法がある。
【特許文献１】特開平７−５２４８２号
【発明の開示】
【発明が解決しようとする課題】
【０００５】
しかしながら、前記の例の１つである印刷が完了する前に印刷中止が支持された場合には、トレイから用紙を順に引き出し裏面が白紙か否かを白紙検知センサにより各々検知し、裏面が白紙の用紙は表裏反転させて給紙トレイに格納し、裏面も印刷済みの用紙はリサイクル用紙回収ボックスに格納するという方法は、ロール紙に対応していません。また、印刷を中止した場合のみで印刷が正常終了した場合については対処されていません。
【０００６】
また、印刷が正常終了した場合、もしくは途中で中止、または失敗したと場合についても印刷に有効な領域はあくまでも無駄なく利用する事が望まれることは言うまでもない。
【０００７】
本発明は、前記の問題を解決するためになされたものであり、その目的とするところは、印刷が正常終了した場合、もしくは途中で中止、または失敗したと場合について、余白部分が発生した際に、無駄なくかつ、使いやすい用紙としてカットする制御システムを提供することである。
【課題を解決するための手段】
【０００８】
本発明では、前記の問題を解決するために、請求項１によれば、印刷が正常終了した場合、もしくは中止または失敗した場合について、印刷用紙両面のインク付着量を検出する印刷用紙インク付着量検出部、および紙種を判断する印刷用紙種類検出部により印刷用紙が再利用可能か否かを判定し、前記印刷用紙再利用判定部により再利用可能と判定した場合に、印刷に使用する用紙サイズ、および印刷する画像サイズ、および画像データを検出することによって、余白サイズを検出し、定形サイズに用紙をカット可能か否かを判定することを可能とする。また、請求項２によれば、前記余白サイズ判定部より、定形用紙カットが可能か否かを判定し、定形用紙にカット可能と判定した場合に、定形用紙カット構成を算出することを可能とする。また、請求項３によれば、前記定形用紙カット構成算出部、もしくは印刷用紙再利用判定部により決められたパラメータを受け取り印刷用紙のカット制御を行うことを可能とする。また、請求項４によれば、前記印刷用紙カット制御部において定形用紙にカット可能と判定された場合に、定形用紙にカットすることを可能とする。また、請求項５によれば、前記定形用紙カット部において、定形用紙にカットされた用紙を各定形用紙トレイに排紙することを可能とする。
【発明の効果】
【０００９】
以上の説明から明らかなように、請求項１によれば、印刷が正常終了中止、または失敗した場合において、印刷用紙両面のインク付着量を検出する印刷用紙インク付着量検出部、および紙種を判断する印刷用紙種類検出部により印刷用紙が再利用可能か否かを判定し、前記印刷用紙再利用判定部により再利用可能と判定した場合に、印刷に使用する用紙サイズ、および印刷する画像サイズ、および画像データを検出することによって、余白サイズを検出し、定形サイズに用紙をカット可能か否かを判定する。これにより他の印刷装置でも使用可能な定形用紙を獲得するための判定が可能である。また、請求項２によれば、前記余白サイズ判定部より、定形用紙カットが可能か否かを判定し、定形用紙にカット可能と判定した場合に、定形用紙カット構成を算出することを可能にする。これにより余白部分を有効活用するための構成を容易に決定することを可能にする。また、請求項３によれば、前記定形用紙カット構成算出部、もしくは印刷用紙再利用判定部により決められたパラメータを受け取り印刷用紙のカットを制御することを可能としている。これにより屑用にも、定形用紙にも容易に制御可能である。また請求項４によれば、前記印刷用紙カット制御部において定形用紙にカット可能と判定された場合に、定形用紙にカットする定形用紙カット部を備えている。また請求項５によれば、前記定形用紙カット部において、定形用紙にカットされた用紙を各定形用紙トレイに排紙することを可能とした定形用紙排紙制御部を備えている。
【発明を実施するための最良の形態】
【００１０】
以下、図面に基づいて発明の実施の形態について詳細に説明する。
【００１１】
図1は、本発明に基づいた印刷装置に備わっている印刷用紙再利用判定部、用紙カット構成算出部、印刷用紙カット制御部、定形用紙カット部、および印刷用紙排紙制御部、用紙制御システム構成図である。
【００１２】
図２は、印刷が正常終了した場合における、印刷実行時から定形サイズに余白部分がカットされた用紙を排紙するまでのフローチャートである。
【００１３】
前記図１に示している用紙制御システム構成図において、２１１は、印刷された用紙両面のインク付着量を検出する印刷用紙インク付着量検出部である。また、２１２は印刷に使用された紙種を検知する印刷紙種検出部である。また、２１０は２１１、および２１２の検出データにより用紙が再利用可能か否かを判定する印刷用紙再利用判定部である。また、２２１は前記印刷用紙再利用判定部において再利用可能と判定された場合に印刷が終了した時点での余白サイズを検出する余白サイズ検出部である。また、２２０は２２１より、用紙を定形サイズにカット可能か否かを判定し、カット可能と判定した場合には、用紙をカットする構成を算出する用紙カット構成算出部である。２３０は２２０、および２１０から受け取ったパラメータにより印刷用紙のカットを制御する印刷用紙カット制御部である。また、２４０は２３０により定形用紙にカットすると判定された場合に２２０によって構成された単一、もしくは複数の定形用紙にカットする定形用紙カット部である。また、２５０は２３０により定形用紙にカットしないと判定された場合に屑として用紙をカットする屑用用紙カット部である。また、２６０は２４０，２５０から受け取ったパラメータにより各定形用紙用トレイ、もしくは屑入れへ排紙制御する印刷用紙排紙制御部である。
【００１４】
図２に示してあるステップS２０１において、印刷が終了、中止、または失敗した場合にステップS２０２へ進む。
【００１５】
ステップS２０２において、印刷用紙両面のインク付着量、および印刷に使用された紙種から再利用可能かどうかを検出する。
【００１６】
ステップS２０３において、印刷された用紙が再利用可能か否かを判定する。再利用可能と判定した場合は、ステップS２０４へ進む。再利用不可能と判定した場合は、ステップS２０５へ進む。この際、再利用不可能であることを示すパラメータを通知する。
【００１７】
ステップS２０４において、余白サイズの検出、および定形用紙にカット可能か否かを判定する。定形用紙にカット可能と判定した場合は、定形用紙にカットする構成を算出してステップS２０５へ進む。この際、定形用紙にカットするためのパラメータを通知する。定形用紙にカット不可能と判定した場合は、ステップS２０５へ進む。この際、定形用紙にカットしないためのパラメータを通知する。
【００１８】
ステップS２０５において、前記各通知されたパラメータを解析する。
【００１９】
ステップS２０６において、定形用紙にカットするか否かを判定する。定形用紙にカットすると判定した場合は、ステップS２０７へ進む。定形用紙にカットしないと判定した場合は、ステップS２１１へ進む。
【００２０】
ステップS２０７において、ステップS２０４によって算出された定形用紙カット構成に基づいて、単一、もしくは複数の定形用紙にカットを行い、ステップS２０８へ進む。この際、定形用紙にカットしたことを示すパラメータを通知する。
【００２１】
ステップS２１１において、印刷用紙を屑入れ用にカットして、ステップS２０８へ進む。この際、屑入れ用にカットしたことを示すパラメータを通知する。
ステップS２０８において、ステップS２０７および、ステップS２１１から受け取ったパラメータを解析する。
【００２２】
ステップS２０９において、定形用紙にカットされたか否かを判定する。定形用紙にカットされたと判定した場合は、ステップS２１０へ進む。定形用紙にカットされなかったと判定した場合は、ステップS２１２へ進む。
【００２３】
ステップS２１０において、各定形用紙用トレイへ排紙する。
【００２４】
ステップS２１２において、屑入れへ排紙する。
【図面の簡単な説明】
【００２５】
【図１】本発明に基づいてモデル化された印刷装置に備わっている印刷用紙再利用判定部、用紙カット構成算出部、印刷用紙カット制御部、定形用紙カット部、および印刷用紙排紙制御部、用紙制御システム構成図である。
【図２】印刷が正常終了した場合における、印刷実行時から定形サイズに余白部分がカットされた用紙を排紙するまでのフローチャートである。
【符号の説明】
【００２６】
２１０  印刷用紙再利用判定部
２１１  印刷用紙インク付着量検出部
２１２  印刷紙種検出部
２２０  用紙カット構成算出部
２２１  余白サイズ検出部
２３０  印刷用紙カット制御部
２４０  定形用紙カット部
２５０  屑用用紙カット部
２６０  印刷用紙排紙制御部
【図１】
2006168878.tif 000003
【図２】
2006168878.tif 000004